(57)【要約】【課題】エスカレータの滑り剤塗布装置において、スカートガードの表面への滑り剤の塗布作業における作業者の負担を軽減することである。【解決手段】滑り剤塗布装置４０ａは、複数の踏段３０の少なくとも１つの踏段３０の左右方向一方側において、踏段３０の下側に固定される保持部材４１と、保持部材４１に移動可能に支持された移動可能部材４６と、移動可能部材４６を一方側のスカートガード１７側に向けて付勢する付勢部材であるコイルばね５０と、移動可能部材４６の一方側のスカートガード１７側に設けられ、かつ滑り剤を含浸し一方側のスカートガード１７の表面に押し付けられる塗布体４８とを含む。【選択図】図５
2016145096.tif 000002
【特許請求の範囲】
【請求項１】
無端状に連結された複数の踏段と、
前記複数の踏段の左右方向両側に配置されたスカートガードとを含むエスカレータにおける、少なくとも一方側の前記スカートガードの表面に滑り剤を塗布するエスカレータの滑り剤塗布装置であって、
前記複数の踏段の少なくとも１つの踏段の左右方向一方側において、踏段の下側に固定される保持部材と、
前記保持部材に移動可能に支持された移動可能部材と、
前記移動可能部材を前記一方側のスカートガード側に向けて付勢する付勢部材と、
前記移動可能部材の前記一方側のスカートガード側に設けられ、かつ前記滑り剤を含浸し前記一方側のスカートガードの表面に押し付けられる塗布体とを備える、エスカレータの滑り剤塗布装置。
【請求項２】
請求項１に記載のエスカレータの滑り剤塗布装置において、
前記保持部材は、
前記踏段の下側に固定される保持部材本体と、
前記保持部材本体から前記一方側のスカートガード側に突出するように固定された軸部材とを有し、
前記移動可能部材は、前記軸部材に軸方向移動可能に支持され、
前記付勢部材は、前記軸部材における、前記保持部材本体と前記移動可能部材との間部分の周囲に巻回するように配置されたコイルばねを有する、エスカレータの滑り剤塗布装置。
【請求項３】
請求項２に記載のエスカレータの滑り剤塗布装置において、
前記軸部材は、前記保持部材本体にネジ結合されて、かつ、前記移動可能部材に形成された孔を貫通するボルトであり、
さらに、前記ボルトの頭部は、前記移動可能部材において前記一方側のスカートガード側の面に対向し、前記移動可能部材の前記一方側のスカートガード側への移動を阻止するストッパとして機能する、エスカレータの滑り剤塗布装置。
【請求項４】
請求項３に記載のエスカレータの滑り剤塗布装置において、
前記ボルトにおいて前記保持部材本体と前記移動可能部材との間にネジ結合された調整ナットを備え、
前記コイルばねは、前記移動可能部材と前記調整ナットとで挟まれて、前記ボルトに対する前記調整ナットの位置調整により、前記移動可能部材に対する前記コイルばねの付勢力が調整可能である、エスカレータの滑り剤塗布装置。
【請求項５】
請求項１から請求項４のいずれか１に記載のエスカレータの滑り剤塗布装置において、
前記踏段は、踏板本体と、前記踏板本体の左右方向一方側端部の上側に配置された樹脂製のデマケーションクリートとを含み、
前記保持部材と前記デマケーションクリートとは共通のネジ部材で前記踏板本体に結合固定されている、エスカレータの滑り剤塗布装置。
【請求項６】
無端状に連結された複数の踏段と、
前記複数の踏段の左右方向両側に配置されたスカートガードとを含むエスカレータであって、
前記複数の踏段の少なくとも１つの踏段の左右方向両側の下側に固定され、対応する前記スカートガードの表面に滑り剤を塗布する滑り剤塗布装置を備え、
前記各滑り剤塗布装置は、請求項１から請求項５のいずれかに記載された滑り剤塗布装置である、エスカレータ。
【請求項７】
請求項６に記載のエスカレータにおいて、
前記滑り剤塗布装置として、前記複数の踏段のすべての踏段の左右方向両側の下側に固定され、対応する前記スカートガードの表面に滑り剤を塗布する滑り剤塗布装置を備える、エスカレータ。
【発明の詳細な説明】
【技術分野】
【０００１】
本発明は、エスカレータのスカートガードに滑り剤を塗布する滑り剤塗布装置及びエスカレータに関する。
【背景技術】
【０００２】
従来から、エスカレータの踏段の左右両側に配置されるスカートガードの表面にシリコーンオイルなどの滑り剤を塗布することが行われている。滑り剤の塗布によって、エスカレータの利用者の履物や衣類がスカートガードと踏段との間に挟まれた場合に、その挟まれを容易に解除できる。また、エスカレータの利用者の衣類または持ち物がスカートガードに接触する場合に異音が生じにくくなる。
【０００３】
一方、エスカレータの長期間の使用によって、スカートガードの表面から滑り剤が剥がれ落ちたり劣化する場合がある。また、エスカレータが屋外に配置されて風雨にさらされる劣悪な環境で用いられる場合には、滑り剤が短期間でスカートガードから剥がれ落ちる可能性がある。このことから、エスカレータの保守点検を行う作業者が、定期的にスカートガードの表面に滑り剤を手作業で塗布する場合がある。
【０００４】
引用文献１には、エスカレータの踏段の上側のクリートにクリップで挟むことでホルダを装着し、ホルダに塗布体を固定した滑り剤塗布装置が記載されている。塗布体は、弾力性を有し、滑り剤が含浸される。そしてスカートガードの表面に塗布体を押し付け、その状態でエスカレータを運転することでスカートガードの表面に滑り剤を塗布することができるとされている。
【先行技術文献】
【特許文献】
【０００５】
【特許文献１】実開平７−３０２７２号公報
【発明の開示】
【発明が解決しようとする課題】
【０００６】
スカートガードの表面に定期的に作業者が手作業で滑り剤を塗布する場合、スカートガード表面の滑り剤の塗布状態を良好に維持するためには塗布作業の頻度を高くする必要があり、作業者の負担が増大する。一方、特許文献１に記載された構成ではエスカレータの運転に伴う踏段の移動によって、塗布装置がスカートガードの表面に滑り剤を塗布しながら移動する。そして、塗布装置が装着された踏段が降り場付近に達したら作業者が塗布体を回収するか、または、降り場に配置される櫛板と踏段のクリートとがかみ合うことで、塗布装置が踏段から自動的に外れて降り場に乗り上げる。しかしながら、このような構成ではスカートガードの表面に滑り剤を塗布する１回の塗布作業を行う度に作業者が踏段に塗布装置を装着する必要があるので、作業者の負担軽減の面から改良の余地がある。
【０００７】
本発明の目的は、エスカレータの滑り剤塗布装置及びエスカレータにおいて、スカートガードの表面への滑り剤の塗布作業における作業者の負担を軽減することである。
【課題を解決するための手段】
【０００８】
本発明に係るエスカレータの滑り剤塗布装置は、無端状に連結された複数の踏段と、前記複数の踏段の左右方向両側に配置されたスカートガードとを含むエスカレータにおける、少なくとも一方側の前記スカートガードの表面に滑り剤を塗布するエスカレータの滑り剤塗布装置であって、前記複数の踏段の少なくとも１つの踏段の左右方向一方側において、踏段の下側に固定される保持部材と、前記保持部材に移動可能に支持された移動可能部材と、前記移動可能部材を前記一方側のスカートガード側に向けて付勢する付勢部材と、前記移動可能部材の前記一方側のスカートガード側に設けられ、かつ前記滑り剤を含浸し前記一方側のスカートガードの表面に押し付けられる塗布体とを備える。
【０００９】
本発明に係るエスカレータは、無端状に連結された複数の踏段と、前記複数の踏段の左右方向両側に配置されたスカートガードとを含むエスカレータであって、前記複数の踏段の少なくとも１つの踏段の左右方向両側の下側に固定され、対応する前記スカートガードの表面に滑り剤を塗布する滑り剤塗布装置を備える。そして、前記各滑り剤塗布装置は、本発明に係る滑り剤塗布装置である。
【発明の効果】
【００１０】
本発明に係るエスカレータの滑り剤塗布装置及びエスカレータによれば、スカートガードの表面への塗布作業における作業者の負担を軽減できる。
【図面の簡単な説明】
【００１１】
【図１】本発明の実施形態の滑り剤塗布装置を適用するエスカレータの１例を示す概略断面図である。
【図２】図１のエスカレータの下側の乗降口付近を示す斜視図である。
【図３Ａ】実施形態の滑り剤塗布装置を踏段に固定した状態で踏段を上側から見た図である。
【図３Ｂ】実施形態の滑り剤塗布装置を踏段に固定した状態で踏段を進行方向に沿って見た図である。
【図４】図３ＡのＡ−Ａ断面の拡大図である。
【図５】図４のＢ−Ｂ断面図である。
【発明を実施するための形態】
【００１２】
以下において、図面を用いて本発明に係る実施の形態につき詳細に説明する。以下で説明する形状、材料、個数などは説明のための例示であって、滑り剤塗布装置を含む構造の仕様により変更が可能である。以下では同様の構成には同一の符号を付して説明する。
【００１３】
図１は、本実施形態の滑り剤塗布装置４０ａ、４０ｂ（図３Ａ，３Ｂ，４、５）を適用するエスカレータ１０の１例を示す概略断面図である。図２は、エスカレータ１０の下側の乗降口１１ａ付近を示す斜視図である。エスカレータ１０は、例えば一部または全部が屋外に配置されるもので、トラス１２と、移送手段２０と、複数の踏段３０と、複数の滑り剤塗布装置４０ａ、４０ｂとを備える。トラス１２は、低い位置と高い位置とにかけ渡すように配置される。移送手段２０はトラス１２の内部に設けられ、複数の踏段３０は移送手段２０により移動される。複数の滑り剤塗布装置４０ａ、４０ｂは、複数の踏段３０のそれぞれに２つずつ装着される。滑り剤塗布装置４０ａ、４０ｂは、後で詳しく説明する。
【００１４】
移送手段２０は、駆動機構２１と、エスカレータ駆動装置２５とを含む。駆動機構２１は、無端状連結部材であるチェーン２２と、２つのスプロケット２３，２４とを有し、チェーン２２は２つのスプロケット２３，２４に掛け渡される。
【００１５】
各踏段３０には図示しないステップ軸が左右方向（図１の表裏方向）に配置されて支持される。複数の踏段３０は、ステップ軸及びチェーン２２を介して無端状に連結される。各ステップ軸の左右方向両側には駆動ローラ３１が支持され、駆動ローラ３１は、左右で上下に配置される駆動レール１３ａ、１３ｂによって移動が案内される。なお、本明細書および特許請求の範囲の全体において、「左右方向」は、エスカレータ１０を下側の乗降口１１ａから上側の乗降口１１ｂに向かって見た場合の左右方向をいう。
【００１６】
エスカレータ駆動装置２５はモータの駆動によって上側のスプロケット２３を駆動して、チェーン２２で連結された踏段３０を循環させる。図１の例では、エスカレータ１０は、上昇用であり、図１に矢印αで示す方向に複数の踏段３０を循環させる。エスカレータ１０を下降用とする場合には、図１の矢印αと逆方向に複数の踏段３０を循環させる。なお、エスカレータ１０の全部が屋内に設けられてもよい。
【００１７】
複数の踏段３０の左右方向両側には欄干１４が配置される。欄干１４は、側板部１５と、側板部１５の周囲に循環する移動手すり１６と、側板部１５の下側で踏段３０と左右方向に対向する位置に配置されるスカートガード１７とを有する。図２では側板部１５は透明である。２つの欄干１４のスカートガード１７は平行で、それぞれ上下方向に立ち上がっている。スカートガード１７は、鉄またはステンレス合金などの金属の板により形成される。
【００１８】
図３Ａは、滑り剤塗布装置４０ａ、４０ｂを踏段３０に固定した状態で踏段３０を上側から見た図である。図３Ｂは、滑り剤塗布装置４０ａ、４０ｂを踏段３０に固定した状態で踏段３０を進行方向に沿って見た図である。踏段３０は、利用者が乗載可能な略矩形状の踏板３２と、踏板３２の進行方向一方側（図３Ａの下側）の端部に略直角に結合されたライザー３３とを有する。踏板３２は、鉄、アルミニウム合金などの金属により構成される踏板本体３２ａと、２つの樹脂製のデマケーションクリート（以下、「デマクリート」という。）３２ｂとを有する。デマクリート３２ｂは、踏板本体３２ａの上側で、図３Ａにβで左右方向における範囲を示す両端部に複数の（図３Ａでは３つの）ネジ部材３４で固定される。図３Ａでは、デマクリート３２ｂを砂地で示している。
【００１９】
図４は、図３ＡのＡ−Ａ断面の拡大図である。図４に示すように、踏板本体３２ａ及びデマクリート３２ｂの上面には、櫛歯３２ｃ、３２ｄが形成される。ライザー３３（図３ｂ）の表面にも櫛歯３２ｅが形成される。
【００２０】
踏板本体３２ａはスカートガード１７に隙間Ｇを介して左右方向に対向する。これによって、エスカレータ１０の利用者の衣類または持ち物がスカートガード１７に接触しやすく、接触した場合に異音が発生する場合がある。そこで、この異音の発生を防止するために後述の滑り剤塗布装置４０ａ、４０ｂによってスカートガード１７の表面にシリコーンオイルなどの滑り剤が塗布される。また、この滑り剤の塗布によって、エスカレータ１０の利用者の履物または衣類がスカートガード１７と踏段３０との間に挟まれた場合に、履物または衣類の挟みこみを容易に解除できる。また、スカートガード１７の表面に滑り剤を塗布することによって利用者の持ち物の傷つきを防止できる。
【００２１】
次に、滑り剤塗布装置４０ａ、４０ｂを説明する。各踏段３０の下側には、図３Ａ、図３Ｂに示すように２つの滑り剤塗布装置４０ａ、４０ｂが固定されることにより装着される。２つの滑り剤塗布装置４０ａ、４０ｂは、一方側滑り剤塗布装置４０ａと、他方側滑り剤塗布装置４０ｂとに分けられる。
【００２２】
一方側滑り剤塗布装置４０ａは、各踏段３０の左右方向両側のうち、一方側（図３Ａ、図３Ｂの左側）に装着されて、一方側のスカートガード１７の表面に滑り剤を塗布する。他方側滑り剤塗布装置４０ｂは、各踏段３０の左右方向両側のうち、他方側（図３Ａ、図３Ｂの右側）に装着されて、他方側のスカートガード１７の表面に滑り剤を塗布する。各踏段３０に装着される滑り剤塗布装置４０ａ、４０ｂは同様の構成を有するので、以下、１つの踏段３０に装着される２つの滑り剤塗布装置４０ａ、４０ｂのうち、一方側滑り剤塗布装置４０ａを中心に説明する。以下、一方側滑り剤塗布装置４０ａは、単に滑り剤塗布装置４０ａという場合がある。
【００２３】
図５は、図４のＢ−Ｂ断面図である。滑り剤塗布装置４０ａは、踏板本体３２ａの左右方向一方側端部（図４、図５の左端部）の下側に結合固定される。滑り剤塗布装置４０ａは、保持部材４１と、移動可能部材４６と、塗布体４８と、２つの付勢部材であるコイルばね５０と、２つの調整ナット５２とを含んでいる。以下では、各付勢部材がコイルばね５０である場合を説明するが、各付勢部材は、コイルばね５０以外の弾性材であってもよく、またはコイルばね５０と別の弾性材とを含んでもよい。
【００２４】
保持部材４１は、保持部材本体４２と、軸部材である２つのボルト４５とを有する。保持部材本体４２は、直方体状の内側ブロック４３と、内側ブロック４３の外側に嵌合固定された外側部材４４とから形成される。内側ブロック４３には、複数（図示の例では３つ）のネジ孔４３ａが上下方向に形成される。
【００２５】
外側部材４４は、平行な第１板部４４ａ及び第２板部４４ｂと、連結板部４４ｃとを有する。連結板部４４ｃは、第１板部４４ａ及び第２板部４４ｂの一端（図４の右端）を連結する。第１板部４４ａ及び第２板部４４ｂの内側面には突出板部４４ｄ、４４ｅがそれぞれ突出する。各突出板部４４ｄ、４４ｅは、エスカレータ１０の進行方向と平行で、左右方向の同じ位置に二点鎖線γで示す平面上に配置される。内側ブロック４３は、第１板部４４ａ、第２板部４４ｂ、及び連結板部４４ｃの内側に嵌め込まれて、接着または溶接により固定される。内側ブロック４３及び外側部材４４は金属、または樹脂により形成される。
【００２６】
図４に戻って、デマクリート３２ｂの上下方向に形成された孔３２ｆにネジ部材３４が貫通しており、ネジ部材３４のうち、デマクリート３２ｂの下面から突出する部分が踏板本体３２ａにネジ結合される。そして、ネジ部材３４のうち、踏板本体３２ａの下面から突出する部分が内側ブロック４３のネジ孔４３ａにネジ結合される。ネジ部材３４の頭部はデマクリート３２ｂの上面で孔３２ｆの開口端周囲に押し付けられる。これによって、保持部材４１とデマケーションクリート３２ｂとは、共通のネジ部材３４で踏板本体３２ａの下側と上側とにそれぞれ固定される。これによって、踏段３０と滑り剤塗布装置４０ａとの組み付け構造における部品点数を削減できる。
【００２７】
図５に示すように、２つのボルト４５のうち、一方（図５の上方）のボルト４５は、頭部４５ａを一方側のスカートガード１７に向けた状態で、ネジ部４５ｂが後述する移動可能部材４６の一方側（図５の上側）部分を貫通する。そして一方のボルト４５のネジ部４５ｂの先端部（図４、図５の右端部）が、第１板部４４ａ側の突出板部４４ｄに形成されたネジ孔４４ｆにネジ結合される。２つのボルト４５のうち、他方（図５の下方）のボルト４５は、頭部４５ａを一方側のスカートガード１７に向けた状態で、ネジ部４５ｂが移動可能部材４６の他方側（図５の下側）部分を貫通する。そして、他方のボルト４５のネジ部４５ｂの先端部が、第２板部４４ｂ側の突出板部４４ｅに形成されたネジ孔４４ｇにネジ結合される。これによって、２つのボルト４５は、対応する突出板部４４ｄ、４４ｅから踏段３０の進行方向に対し直交する方向（図５の左右方向）で、一方側（図５の左側）のスカートガード１７側に突出するように、突出板部４４ｄ、４４ｅに固定される。
【００２８】
移動可能部材４６は、平板状の板部４６ａと、板部４６ａの外側面（図５の左側面）の中心部に突出するように連結された軸部４６ｂとを有する。板部４６ａにおいて進行方向の前側と後側とには円孔４６ｃ、４６ｄがそれぞれ形成される。各円孔４６ｃ、４６ｄは、内周面が円筒面であり、内側にボルト４５のネジ部４５ｂが貫通して、軸方向に摺動可能に挿入される。ボルト４５の頭部４５ａは、移動可能部材４６において一方側のスカートガード１７側の面に対向し、移動可能部材４６の一方側のスカートガード１７側への移動を阻止するストッパとして機能する。なお、移動可能部材４６はこのような構成に限定するものではなく、例えば軸部４６ｂとして複数の軸部の根元部が、移動可能部材４６の板部４６ａの外側面に連結されてもよい。軸部の先端部には、後述の塗布体４８が結合固定される。また、軸部４６ｂの代わりに、直方体状のブロック部、または板部４６ａに対し直角に配置された第２板部が、板部４６ａの外側面に連結され、ブロック部または第２板部の先端面に塗布体４８が結合されてもよい。
【００２９】
２つの調整ナット５２のそれぞれは、移動可能部材４６の円孔４６ｃ、４６ｄに挿入された対応するボルト４５において、板部４６ａの外側面と移動可能部材４６の板部４６ａとの間にネジ結合される。
【００３０】
２つのコイルばね５０のそれぞれは、対応するボルト４５のうち、移動可能部材４６の板部４６ａと、調整ナット５２との間部分の周囲に配置される。そして、各コイルばね５０は、保持部材４１の対応する突出板部４４ｄ、４４ｅと調整ナット５２とで挟まれる。これによって、複数のコイルばね５０は、対応するボルト４５のネジ部４５ｂにおいて、保持部材本体４２と移動可能部材４６との間部分の周囲に巻回するように配置される。また、ボルト４５に対する調整ナット５２の位置調整により、移動可能部材４６に対するコイルばね５０の付勢力の調整が可能である。例えば図５において、調整ナット５２を一方向に回転させてボルト４５の右側に移動させると、コイルばね５０が伸びて移動可能部材４６に対する付勢力が小さくなる。逆に、調整ナット５２を他方向に回転させてボルト４５の左側に移動させると、コイルばね５０が縮んで移動可能部材４６に対する付勢力が大きくなる。
【００３１】
塗布体４８は、概略直方体状で、シリコーンオイルなどの滑り剤を含浸でき、弾性を有する材料、例えば多孔質のゴムまたは合成樹脂であるスポンジまたはフェルト材によって形成される。塗布体４８の保持部材４１側端部の中心部に、移動可能部材４６の軸部４６ｂの先端部が結合固定されることによって、塗布体４８が移動可能部材４６の一方側のスカートガード１７側に設けられる。
【００３２】
他方側滑り剤塗布装置４０ｂ（図３Ａ、図３Ｂ）は、一方側滑り剤塗布装置４０ａと左右方向の位置関係が逆になるが、それ以外の構成は同様である。他方側滑り剤塗布装置４０ｂは、各踏段３０の左右方向において他方側（図３Ａ、図３Ｂの右側）の下側に装着される。踏段３０の踏板本体３２ａの左右方向他方側端部の上側にデマクリート３２ｂが配置され、デマクリート３２ｂに形成された複数の孔にネジ部材３４が挿入される。そして、各ネジ部材３４のうち、デマクリート３２ｂの下面から突出する部分が、他方側滑り剤塗布装置４０ｂの保持部材に形成されたネジ孔と、踏板本体３２ａに形成されたネジ孔とにネジ結合される。
【００３３】
このように各踏段３０の下側に一方側滑り剤塗布装置４０ａ及び他方側滑り剤塗布装置４０ｂが装着された状態で、各滑り剤塗布装置４０ａ、４０ｂの塗布体４８の外側面は、対応するスカートガード１７の表面にコイルばね５０の付勢力で弾性的に押し付けられる。このとき、各滑り剤塗布装置４０ａ、４０ｂでは、移動可能部材４６は、保持部材４１において踏段３０の進行方向に対し直交する方向に移動可能に支持される。また、一方側滑り剤塗布装置４０ａにおいて、各コイルばね５０は、調整ナット５２と移動可能部材４６との間に配置され、移動可能部材４６を一方側（図４、図５の左側）のスカートガード１７側に向けて付勢する。一方、他方側滑り剤塗布装置４０ｂにおいて、各コイルばねは、ボルトに結合した調整ナットと移動可能部材との間に配置され、移動可能部材を他方側（図３Ａ、図３Ｂの右側）のスカートガード１７側に向けて付勢する。
【００３４】
滑り剤塗布装置４０ａ、４０ｂによってスカートガード１７の表面に滑り剤を塗布する作業を行う場合、エスカレータ１０の保守点検を行う作業者が、エスカレータ１０の運転を停止させる。この状態で、作業者は各踏段３０の左右方向両側に滑り剤塗布装置４０ａ、４０ｂを装着する。この装着の状態で、一方側滑り剤塗布装置４０ａの塗布体４８の外側面は一方側のスカートガード１７の表面に押し付けられる。また、他方側滑り剤塗布装置４０ｂの塗布体４８の外側面は他方側のスカートガード１７の表面に押し付けられる。そして、作業者は、踏段３０に滑り剤塗布装置４０ａ、４０ｂを装着した状態で、例えば踏段３０の左右方向の端とスカートガード１７の表面との間の隙間Ｇを通じて上方から滑り剤を滴下するなどによって、滑り剤塗布装置４０ａ、４０ｂの塗布体４８に滑り剤を含浸させる。そして作業者がエスカレータ１０を駆動して複数の踏段３０を走行させる。これによって、塗布体４８に含浸された滑り剤がスカートガード１７の表面に塗布される。例えば図２において、踏段３０を走行させることで踏段３０の下側の滑り剤塗布装置４０ａ（図４、図５）が、スカートガード１７の表面の図２に砂地で示す範囲部分に滑り剤を塗布する。
【００３５】
上記の滑り剤塗布装置４０ａ、４０ｂ及びエスカレータ１０によれば、スカートガード１７の表面への滑り剤の塗布作業において、１回の塗布作業を行う度に作業者が滑り剤塗布装置４０ａ、４０ｂを踏段３０に装着する必要がない。また、滑り剤塗布装置４０ａ、４０ｂは踏段３０の下側に装着されるので、エスカレータ１０の運転を行いながら、スカートガード１７の同じ位置に自動的に何回も塗布作業を行うことができる。このため、作業者の負担を軽減できる。また、塗布体４８がコイルばね５０でスカートガード１７の表面に弾性的に押し付けられる。これによって、長期間の使用で塗布体４８が摩耗する場合でも塗布体４８をスカートガード１７の表面に押し付け続けることができ、スカートガード１７の表面に滑り剤を長期にわたって安定して塗布できる。
【００３６】
また、保持部材本体４２に固定される軸部材としてボルト４５を使用し、ボルト４５の頭部４５ａを、移動可能部材４６のストッパとして機能させることで、軸部材とストッパとを２つの部品で構成する場合に比べて部品点数を削減できる。
【００３７】
また、ボルト４５に対する調整ナット５２の結合位置を容易に調整できる。これによって、エスカレータ１０の種類、組み付け誤差などによって、スカートガード１７の表面と踏段３０との隙間Ｇの左右方向長さがエスカレータ１０によって異なる場合でも、作業者の調整ナット５２の位置調節によって、コイルばね５０による塗布体４８のスカートガード１７の表面への押し付け力及び押し付け量を所望量に容易に調整できる。例えばこの押し付け量は、塗布体４８が左右方向に１〜２ｍｍ縮むように設定することができる。また、隙間Ｇが小さくなる場合に調整ナット５２を図５の右側に移動させ、隙間Ｇが大きくなる場合に調整ナット５２を図５の左側に移動させることで、隙間Ｇの大きさに関係なく、スカートガード１７の表面への塗布体４８の押し付け力をほぼ一定に維持できる。
【００３８】
また、踏段３０の左右方向両側に滑り剤塗布装置４０ａ、４０ｂが装着されることで、踏段３０がコイルばね５０を有する左右の滑り剤塗布装置４０ａ、４０ｂを介して左右のスカートガード１７に、弾性的に挟まれる。これによって、エスカレータ１０の運転時、または踏段３０上での利用者の歩行時において、踏段３０が左右方向に振れにくくなる。
【００３９】
さらに、複数の踏段３０のすべての左右方向両側に滑り剤塗布装置４０ａ、４０ｂが装着される。これによって、スカートガード１７と踏段３０の左右方向両端との隙間Ｇにエスカレータ１０の利用者が持ち物を落とした場合でも、滑り剤塗布装置４０ａ、４０ｂの塗布体４８の上側でその持ち物を受け止めることができる。これによって、エスカレータ１０の運転を停止させた状態でその持ち物を容易に回収できるので、回収作業の作業性を向上できる。
【００４０】
なお、上記では、複数の踏段３０のすべての左右方向両側に滑り剤塗布装置４０ａ、４０ｂが装着される場合を説明したが、複数の踏段３０の１つの踏段のみ、または一部の踏段３０のみに滑り剤塗布装置４０ａ、４０ｂが装着されてもよい。また、踏段３０の左右方向一方側のみに滑り剤塗布装置４０ａ（または４０ｂ）が装着されてもよい。
【００４１】
また、エスカレータ１０の保守点検作業時に、作業者が滑り剤塗布装置４０ａ、４０ｂの塗布体４８の上側から滑り剤を滴下するなどによって、塗布体４８に滑り剤を補給することができる。作業者は、スカートガード１７の表面が乾燥しているか否かなどによってこの表面上の滑り剤の存在を確認でき、その確認結果に応じて塗布体４８に滑り剤を補給することができる。また、滑り剤塗布装置４０ａ、４０ｂの塗布体４８に滑り剤を補給するために、塗布体４８と管で接続した滑り剤タンクを設ける構成を用いてもよい。滑り剤タンクには滑り剤が注入される。この構成では、塗布体４８で滑り剤の含浸量が低下した場合に、毛細管現象で滑り剤タンクから塗布体４８に滑り剤を自動的に吸引して補給することができる。
【符号の説明】
【００４２】
１０  エスカレータ、１１ａ，１１ｂ  乗降口、１２  トラス、１３ａ，１３ｂ  駆動レール、１４  欄干、１５  側板部、１６  移動手すり、１７  スカートガード、２０  移送手段、２１  駆動機構、２２  チェーン、２３，２４  スプロケット、２５  エスカレータ駆動装置、３０  踏段、３１  駆動ローラ、３２  踏板、３２ａ  踏板本体、３２ｂ  デマケーションクリート（デマクリート）、３２ｃ、３２ｄ、３２ｅ  櫛歯、３２ｆ  孔、３３  ライザー、３４  ネジ部材、４０ａ  一方側滑り剤塗布装置、４０ｂ  他方側滑り剤塗布装置、４１  保持部材、４２  保持部材本体、４３  内側ブロック、４３ａ  ネジ孔、４４  外側部材、４４ａ  第１板部、４４ｂ  第２板部、４４ｃ  連結板部、４４ｄ，４４ｅ  突出板部、４４ｆ，４４ｇ  ネジ孔、４５  ボルト、４５ａ  頭部、４５ｂ  ネジ部、４６  移動可能部材、４６ａ  板部、４６ｂ  軸部、４６ｃ，４６ｄ  円孔、４８  塗布体、５０  コイルばね、５２  調整ナット。
【図１】
2016145096.tif 000003
【図２】
2016145096.tif 000004
【図３Ａ】
2016145096.tif 000005
【図３Ｂ】
2016145096.tif 000006
【図４】
2016145096.tif 000007
【図５】
2016145096.tif 000008